(57)【要約】【課題】高機能・多機能化に伴い消費電力の増加が進んでいる携帯端末装置において、さらなる消費電力の低減ができるようにする。【解決手段】電源制御部１０４が、操作状態計測部１２３が計測した文字入力操作状態により、文字入力制御部１２１の動作クロックおよび電圧を制御する。操作状態計測部１２３は、文字入力操作状態として、利用者によるキー入力部１０３を用いた文字入力の速度や文字入力の頻度を計測し、これら速度や頻度を元に、電源制御部１０４は、文字入力制御部１２１の動作クロックおよび電圧を制御する。【選択図】  図１
2010034741.tif 000002
【特許請求の範囲】
【請求項１】
キー操作による文字の入力を制御する文字入力制御手段と、
文字入力がなされている状態を検出する文字入力状態検出手段と、
この文字入力状態検出手段に文字入力がなされている状態が検出されているときの操作状態を示す文字入力操作状態を計測する操作状態計測手段と、
この操作状態計測手段が計測した文字入力操作状態により、前記文字入力制御手段の動作クロックおよび電圧を制御する電源制御手段と
を少なくとも備えることを特徴とする携帯端末装置。
【請求項２】
請求項１記載の携帯端末装置において、
前記操作状態計測手段は、前記文字入力状態検出手段が検出した文字入力状態における前記キー操作の速度を計測し、
前記電源制御手段は、前記文字入力操作状態として、前記操作状態計測手段が計測したキー操作の速度により、前記文字入力制御手段の動作クロックおよび電圧を制御する
ことを特徴とする携帯端末装置。
【請求項３】
請求項２記載の携帯端末装置において、
前記操作状態計測手段は、
前記文字入力状態検出手段が検出した文字入力状態において入力された文字数を前記文字入力状態の時間で除することで求めた文字入力速度を前記キー操作の速度とする
ことを特徴とする携帯端末装置。
【請求項４】
請求項２または３記載の携帯端末装置において、
前記電源制御手段は、
前記操作状態計測手段が計測したキー操作の速度が、既定値より大きい場合は前記動作クロックおよび電圧を増加させ、
前記操作状態計測手段が計測したキー操作の速度が、既定値より大きい場合は前記動作クロックおよび電圧を低下させる
ことを特徴とする携帯端末装置。
【請求項５】
請求項１記載の携帯端末装置において、
前記操作状態計測手段は、
前記文字入力状態検出手段が文字入力の状態と判断した状態を計数する文字入力状態計数手段と、
この文字入力状態計数手段が計数した文字入力状態回数を記憶する入力状態回数記憶手段と、
この入力状態回数記憶手段に記憶されている文字入力状態回数より、単位時間あたりの文字入力状態回数を算出する文字入力状態頻度算出手段と
を備え、
前記電源制御手段は、前記操作状態計測手段が計測した前記文字入力操作状態として、前記文字入力状態頻度算出手段が算出した単位時間あたりの文字入力状態回数により、前記文字入力制御手段の動作クロックおよび電圧を制御する
ことを特徴とする携帯端末装置。
【請求項６】
通話以外の機能を実現する複数の補助機能部を備えた携帯端末装置において、
前記補助機能部の各々に給電される電源のオンオフを行う複数のスイッチと、
前記補助機能部の動作頻度を計測する補助機能部動作監視手段と、
この補助機能部動作監視手段が計測した動作頻度が予め設定されている値より小さい前記補助機能部の前記スイッチをオフにする電源制御手段と
を少なくとも備えることを特徴とする携帯端末装置。
【請求項７】
請求項６記載の携帯端末装置において、
前記補助機能部は、非接触ＩＣカード機能部，全地球測位システムによる位置検出機能部，短距離無線通信機能部，カメラ機能部，および地上デジタルテレビ放送受信機能部の中の少なくとも１つであることを特徴とする携帯端末装置。
【発明の詳細な説明】
【技術分野】
【０００１】
本発明は、複数の補助機能を備える携帯電話などの携帯端末装置に関するものである。
【背景技術】
【０００２】
携帯電話などの携帯端末装置においては、新たな機能を備えた多機能の新機種が多く開発されている（特許文献１参照）。今日のこの多機能化が進む中、一度の充電でより長く使用できることが、基本的な要求性能として求められている。このために、様々な省電力対策が提案され、また実施されている（特許文献２，３，４参照）。
【０００３】
【特許文献１】特開２０００−１８４０３６号公報
【特許文献２】特開２００２−２６１９２０号公報
【特許文献３】特開２００７−２５９６７１号公報
【特許文献４】特開平９−２３１１９４号公報
【発明の開示】
【発明が解決しようとする課題】
【０００４】
ところで、携帯端末装置を利用する利用者には、迅速な操作を行う利用者のみではなく、操作の遅いユーザも存在し、またメール機能，ゲーム機能，ネットワークアクセス機能などの携帯端末装置が備えている様々な機能を高い頻度で使用する利用者や、電話の着信が主な利用状態となっている利用頻度の低い利用者など、様々な使用形態が存在している。
【０００５】
これに対し、携帯端末装置における省電力の機能は、設定されている時間に入力がないと表示部の照明を停止するなど、一般に画一的なものとなっている。このため、前述したような携帯端末装置の高機能・多機能化に伴い、消費電力の増加が進む中で、さらなる消費電力低減の要望に対応し切れていないという問題があった。
【０００６】
本発明は、以上のような問題点を解消するためになされたものであり、高機能・多機能化に伴い消費電力の増加が進んでいる携帯端末装置において、さらなる消費電力の低減ができるようにすることを目的とする。
【課題を解決するための手段】
【０００７】
本発明に係る携帯端末装置は、キー操作による文字の入力を制御する文字入力制御手段と、文字入力がなされている状態を検出する文字入力状態検出手段と、この文字入力状態検出手段に文字入力がなされている状態が検出されているときの操作状態を示す文字入力操作状態を計測する操作状態計測手段と、この操作状態計測手段が計測した文字入力操作状態により、文字入力制御手段の動作クロックおよび電圧を制御する電源制御手段とを少なくとも備える。
【０００８】
また、本発明に係る携帯端末装置は、通話以外の機能を実現する複数の補助機能部を備え、補助機能部の各々に給電される電源のオンオフを行う複数のスイッチと、補助機能部の動作頻度を計測する補助機能部動作監視手段と、この補助機能部動作監視手段が計測した動作頻度が予め設定されている値より小さい補助機能部のスイッチをオフにする電源制御手段とを少なくとも備える。
【発明の効果】
【０００９】
以上説明したように、本発明によれば、操作状態計測手段が計測した文字入力操作状態により、文字入力制御手段の動作クロックおよび電圧を制御するようにしたので、携帯端末装置の、さらなる消費電力の低減ができるようになるという優れた効果が得られる。また、補助機能部動作監視手段が計測した動作頻度が予め設定されている値より小さい補助機能部のスイッチをオフにするようにしたので、携帯端末装置の、さらなる消費電力の低減ができるようになるという優れた効果が得られる。
【発明を実施するための最良の形態】
【００１０】
以下、本発明の実施の形態について図を参照して説明する。
【００１１】
［実施の形態１］
はじめに、本発明の実施の形態１について図１を用いて説明する。図１は、本発明の実施の形態１における携帯端末装置１０１の一部構成例を示す構成図である。図１では、本実施の形態を説明するために必要な部分を示し、携帯端末装置１０１を構成するよく知られた一般的な部分は省略している。
【００１２】
本実施の形態における携帯端末装置１０１は、文字入力を実現するための文字入力機能部１０２と、文字入力や電話番号などの入力を行うキー入力部１０３と、文字入力制御部１２１に対する電源供給の制御を行う電源制御部１０４とを備える。また、文字入力機能部１０２は、キー入力部１０３のキー操作による文字の入力を制御する文字入力制御部１２１と、文字入力がなされている状態を検出する文字入力状態検出部１２２と、文字入力状態検出部１２２に文字入力がなされている状態が検出されているときの操作状態を示す文字入力操作状態を計測する操作状態計測部１２３とを備える。
【００１３】
本実施の形態における携帯端末装置１０１は、電源制御部１０４が、操作状態計測部１２３が計測した文字入力操作状態により、文字入力制御部１２１の動作クロックおよび電圧を制御するようにしたものである。
【００１４】
例えば、文字入力状態検出部１２２が検出する文字入力がなされている状態は、携帯端末装置１０１を用いて送信する電子メールを作成している状態である。また例えば、文字入力がなされている状態は、携帯端末装置１０１が備えているスケジュール機能を利用するためにスケジュールを入力している状態である。
【００１５】
これらのような文字入力がなされている状態において、例えば、操作状態計測部１２３は、文字入力操作状態として、利用者によるキー入力部１０３を用いた文字入力の速度や文字入力の頻度を計測し、これら速度や頻度を元に、電源制御部１０４は、文字入力制御部１２１の動作クロックおよび電圧を制御する。
【００１６】
例えば、文字入力速度が遅い場合や頻度が低い場合、文字入力制御部１２１に対して供給するクロックを低下させ、供給する電圧を低下させる。文字入力が遅い場合、動作クロックを低下させても利用者には問題とはならない。頻度が低い場合も、概して文字入力が遅い利用者の場合が多いため、動作クロックを低下させても利用者には問題とならないものと考えられる。このように、動作クロックを低下させれば電圧を低下させることが可能となり、電圧を低下させることができれば、消費電力を低減させることが可能となる。
【００１７】
［実施の形態２］
次に、本発明の実施の形態２について、図２、図３を用いて説明する。図２は、本発明の実施の形態２における携帯端末装置の一部構成例を示す構成図である。本実施の形態では、携帯端末装置として携帯電話を例に説明する。また、図３は、本実施の形態２における携帯端末装置（携帯電話）の動作例を示すフローチャートである。なお、図２では、本実施の形態を説明するために必要な部分を示し、携帯電話を構成するよく知られた一般的な部分は省略している。
【００１８】
本実施の形態に係る携帯電話は、各部分の制御を行い、図示しない無線通信部から信号で音声通話やデータ通信を実現する制御部２０４、制御部２０４の動作プログラム，作成されたメールデータ，受信データや、アドレスデータなどが記憶されているメモリ２０１、電話をかける際の電話番号が入力，アドレス帳登録など文字入力，および各種機能の設定入力を行うためのキー入力部（ＫＥＹ）２０２、発着信時の電話番号の表示，キー入力部２０２と連動した各種入力内容の表示，および電子メール送受信機能で作成・受信したメール内容の表示などが行われる表示部２０３を備える。
【００１９】
また、バッテリ（電池）２０６の電圧レベルを監視して、設定されている閾値を下回った場合に制御部２０４へ通知する電圧検出部２０５を備える。また、FeliCa（非接触ICカード）機能部２０７，ＧＰＳ（全地球測位システムによる位置検出）機能部２０８，短距離無線通信機能部（Bluetooth）２０９，地上デジタルテレビ方法受信機能部（ＧＴＶ）２１０などのペリフェラル（補助機能部）を備える。また、カメラ機能部を備える場合もある。加えて、本実施の形態における携帯電話は、文字入力機能部２１１を備える。なお、FeliCa機能部２０７，ＧＰＳ機能部２０８，短距離無線通信機能部（Bluetooth）２０９，デジタルテレビ方法受信機能部（ＧＴＶ）２１０などのペリフェラルは、制御部２０４からのへコマンド（命令）により起動させることができる。また、図中の矢印は電源の供給ラインを表している。
【００２０】
次に、文字入力機能部２１１について説明する。文字入力機能部２１１は、まず、キー入力部２０２のキー操作による文字の入力を制御する文字入力制御部２２１と、文字入力がなされている状態を検出する文字入力状態検出部２２２と、文字入力状態検出部２２２が文字入力の状態と判断した状態を計数する文字入力状態計数部２２３と、文字入力状態計数部２２３が計数した文字入力状態回数を記憶する入力状態回数記憶部２２４とを備える。
【００２１】
また、文字入力機能部２１１は、文字入力状態検出部２２２が検出した文字入力状態におけるキー操作の速度を計測するキー操作速度計測部（操作状態計測手段）２２５と、キー操作速度計測部２２５が計測したキー操作の速度を記憶する入力速度記憶部２２６と、入力状態回数記憶部２２４に記憶されている文字入力状態回数で入力速度記憶部２２６に記憶されているキー操作の速度の平均を求める入力速度算出部２２７と、入力速度算出部２２７が算出した文字入力速度を元に文字入力制御部２２１に対する電源供給の制御を行う電源制御部２２８とを備える。ここで、キー速度計測部２２５は、文字入力状態検出部２２２が検出した文字入力状態において入力された文字数を文字入力状態の時間で除した値（文字入力速度）をキー操作の速度とする。また、電源制御部２２８は、入力速度算出部２２７が求めたキー操作の速度（文字入力速度）の平均値により、文字入力制御部２２１に対する電源供給の制御を行う。
【００２２】
次に、文字入力機能部２１１の動作例について、図３のフローチャートを用いて説明する。まず、ステップＳ３０１で、文字入力状態検出部２２２が文字入力状態を検出すると、ステップＳ３０２で、キー操作速度計測部２２５が文字入力状態の時間計測を開始する。例えば、利用者の操作により携帯電話の電子メール機能が起動されると、電子メール機能の起動により、電子メールの送出先のアドレス、電子メールの件名、電子メールの本文入力など、文字の入力が可能な状態となる。文字入力状態検出部２２２は、これらの状態を文字入力状態として検出する。
【００２３】
この後、利用者が電子メールを送信するなど電子メール機能を終了すると、文字入力状態検出部２２２が文字入力状態を検出しない状態（文字入力状態の終了）となる（ステップＳ３０３）。このように、文字入力状態検出部２２２が文字入力状態を検出しない状態となると、キー操作速度計測部２２５が、文字入力状態の時間計測を終了し（ステップＳ３０４）、有力された文字数を計測された文字入力状態の時間で除した文字入力速度を求めて入力速度記憶部２２６に記憶する（ステップＳ３０５）。
【００２４】
次に、文字入力状態計数部２２３が、文字入力状態を計数する（ステップＳ３０６）。例えば、上述したような電子メール作成，送信などの電子メール機能における一連の文字入力動作を１回の文字入力状態として計数する。次いで、文字入力状態計数部２２３は、計数した結果を入力状態回数記憶部２２４に記憶する（ステップＳ３０７）。
【００２５】
次に、文字入力機能部２１１が、入力状態回数記憶部２２４に記憶されている文字入力状態の計数結果（回数）が、例えば１０回を超えていることを検出すると（ステップＳ３０８）、入力速度算出部２２７が、入力速度記憶部２２６に記憶されている文字入力速度の平均値を求める（ステップＳ３０９）。このようにして、文字入力速度の平均値が求められると、電源制御部２２８がこの値を元に文字入力制御部２２１の動作クロックおよび電源供給の制御を行う（ステップＳ３１０）。なお、文字入力状態の計数結果の判断は、キー操作速度計測部２２５が行ってもよく、入力速度算出部２２７が行ってもよく、また、図示しない他の機能部が行うようにしてもよい。
【００２６】
次に、電源制御部２２８によるクロックおよび電源供給の制御について説明する。例えば、電源制御部２２８は、上述した文字入力速度の平均値と予め設定されている速度基準値とを比較し、文字入力速度の平均値が速度基準値より小さい場合、文字入力制御部２２１の動作クロックを低くし、文字入力制御部２２１に供給する電圧を低下させる。よく知られているように、文字入力制御部２２１などを構成する演算処理装置は、供給される動作クロックに同期して動作しているが、この動作クロックを遅くすることで、動作に必要な電圧を低下させることができる。
【００２７】
文字入力速度が遅い場合、利用者のキー操作速度はあまり速くはないものと考えることができる。このような場合、携帯電話の文字入力制御部２２１に初期に設定されている動作クロックは、キー操作速度に対して必要以上に速いものとなっている。例えば、動作クロックの８回のクロック立ち上がりの中で、文字入力が１回しかない場合、８回のクロック立ち上がりの中で７回のクロック立ち上がりの期間は、キー操作入力待ちの時間となり、無駄となっている。このような場合、動作クロックの速度を半分に遅くしても、動作クロックの４回のクロック立ち上がりの中で文字入力が１回となり、キー操作の検出は遅延無く行うことができ、キー操作の反応が遅いという認識を利用者に与えることがない。また、動作クロックを半分の速度に低下させることで、供給する電圧を低下させることができ、この結果、文字入力状態における消費電力の低減を図ることができるようになる。
【００２８】
一方、電源制御部２２８は、上述した文字入力速度の平均値と予め設定されている速度基準値とを比較し、文字入力速度の平均値が速度基準値を超えている場合、文字入力制御部２２１に供給する電圧を上昇させて動作クロックを速くする。前述したことと反対に、文字入力速度が速い場合は、利用者のキー操作速度は速いものと考えることができる。このような場合、携帯電話の文字入力制御部２２１に初期に設定されている動作クロックでは、利用者のキー操作速度に対し、キー操作検出が遅い状態となる。このような場合、文字入力制御部２２１に供給する電圧を上昇させて動作クロックを速くすることで、利用者のキー操作速度に準じたキー操作検出速度が得られるようになり、より迅速な文字入力速度が得られるようになる。この結果、より速くメール作成動作（文字入力状態）を終了させることができるようになり、文字入力制御部２２１の動作時間を短縮させることが可能となり、この結果、文字入力状態における消費電力の低減を図ることができるようになる。
【００２９】
［実施の形態３］
次に、本発明の実施の形態３について、図４、図５を用いて説明する。図４は、本発明の実施の形態３における携帯端末装置の一部構成例を示す構成図である。本実施の形態では、携帯端末装置として携帯電話を例に説明する。また、図５は、本実施の形態３における携帯端末装置（携帯電話）の動作例を示すフローチャートである。なお、図４では、本実施の形態を説明するために必要な部分を示し、携帯電話を構成するよく知られた一般的な部分は省略している。
【００３０】
本実施の形態に係る携帯電話は、各部分の制御を行い、図示しない無線通信部から信号で音声通話やデータ通信を実現する制御部４０４、制御部４０４の動作プログラム，作成されたメールデータ，受信データや、アドレスデータなどが記憶されているメモリ４０１、電話をかける際の電話番号が入力，アドレス帳登録など文字入力，および各種機能の設定入力を行うためのキー入力部（ＫＥＹ）４０２、発着信時の電話番号の表示，キー入力部４０２と連動した各種入力内容の表示，および電子メール送受信機能で作成・受信したメール内容の表示などが行われる表示部４０３を備える。
【００３１】
また、バッテリ（電池）４０６の電圧レベルを監視して、設定されている閾値を下回った場合に制御部４０４へ通知する電圧検出部４０５を備える。また、FeliCa機能部４０７，ＧＰＳ機能部４０８，短距離無線通信機能部（Bluetooth）４０９，デジタルテレビ方法受信機能部（ＧＴＶ）４１０などのペリフェラル（補助機能部）を備える。加えて、本実施の形態における携帯電話は、文字入力機能部４１１を備える。なお、FeliCa機能部４０７，ＧＰＳ機能部４０８，短距離無線通信機能部（Bluetooth）４０９，デジタルテレビ方法受信機能部（ＧＴＶ）４１０などのペリフェラルは、制御部４０４からのへコマンド（命令）により起動させることができる。また、図中の矢印は電源の供給ラインを表している。
【００３２】
次に、文字入力機能部４１１について説明する。文字入力機能部４１１は、まず、キー入力部４０２のキー操作による文字の入力を制御する文字入力制御部４２１と、文字入力がなされている状態を検出する文字入力状態検出部４２２と、文字入力状態検出部４２２が文字入力の状態と判断した状態を計数する文字入力状態計数部４２３と、文字入力状態計数部４２３が計数した文字入力状態回数を記憶する入力状態回数記憶部４２４と、入力状態回数記憶部４２４に記憶されている文字入力状態回数より、単位時間あたりの文字入力状態回数を算出する文字入力状態頻度算出部４２５と、文字入力状態頻度算出部４２５が算出した文字入力状態回数を元に文字入力制御部４２１に対する電源供給の制御を行う電源制御部４２６とを備える。
【００３３】
次に、文字入力機能部４１１の動作例について、図５のフローチャートを用いて説明する。まず、ステップＳ５０１で、文字入力状態検出部４２２が文字入力状態を検出し、この後、文字入力状態検出部４２２が文字入力状態を検出しない状態（文字入力状態の終了）となる（ステップＳ５０２）と、文字入力状態計数部４２３が、文字入力状態を計数して計数した結果を入力状態回数記憶部４２４に記憶する（ステップＳ５０３）。
【００３４】
例えば、利用者の操作により携帯電話の電子メール機能が起動されると、電子メール機能の起動により、電子メールの送出先のアドレス、電子メールの件名、電子メールの本文入力など、文字の入力が可能な状態となる。文字入力状態検出部４２２は、これらの状態を文字入力状態として検出する。また、文字入力状態計数部４２３は、これらの電子メール作成，送信などの電子メール機能における一連の文字入力動作を、１回の文字入力状態として計数する。
【００３５】
次に、ステップＳ５０４で、文字入力状態頻度算出部４２５が、予め設定されている時間（例えば１日）の経過の後、単位時間あたりの文字入力状態回数（入力状態回数）を算出する。次いで、電源制御部４２６は、算出された入力状態回数が１２回を超えている場合（ステップＳ５０５）、文字入力制御部４２１に対する動作クロックを速くし、供給する電圧を高くする（ステップＳ５０６）。また、算出された入力状態回数が１２回を超えていなく（ステップＳ５０５）、８回以下である場合（ステップＳ５０７）、電源制御部４２６は、文字入力制御部４２１に対する動作クロックを遅くして供給する電圧を低くする（ステップＳ５０８）。
【００３６】
次に、電源制御部４２６によりクロックおよび電源供給の制御について説明する。例えば、１日あたりの文字入力状態の回数が多い場合、利用者のキー操作速度が速いものと考えることができる。これに対し、１日あたりの文字入力状態の回数が少ない場合、利用者のキー操作速度はあまり速くはないものと考えることができる。このような判断のものとに、まず、１日あたりの文字入力状態の回数が８回以下である場合、利用者のキー操作速度は遅いと判断し、文字入力制御部４２１に対する動作クロックを遅くして供給する電圧を低くする。
【００３７】
利用者のキー操作速度はあまり速くはない場合、携帯電話の文字入力制御部４２１に初期に設定されている動作クロックは、キー操作速度に対して必要以上に速いものとなっている。例えば、動作クロックの８回のクロック立ち上がりの中で、文字入力が１回しかない場合、８回のクロック立ち上がりの中で７回のクロック立ち上がりの期間は、キー操作入力待ちの時間となり、無駄となっている。このような場合、動作クロックの速度を半分に遅くしても、動作クロックの４回のクロック立ち上がりの中で文字入力が１回となり、キー操作の検出は遅延無く行うことができ、キー操作の反応が遅いという認識を利用者に与えることがない。また、動作クロックを半分の速度に低下させることで、供給する電圧を低下させることができ、この結果、文字入力状態における消費電力の低減を図ることができるようになる。
【００３８】
一方、１日あたりの文字入力状態の回数が１２回を超える場合、利用者のキー操作速度は速いと判断し、文字入力制御部４２１に対する動作クロックを速くし、また供給する電圧を高くする。前述したことと反対に、文字入力速度が速い場合は、利用者のキー操作速度は速いものと考えることができる。このような場合、携帯電話の文字入力制御部４２１に初期に設定されている動作クロックでは、利用者のキー操作速度に対し、キー操作検出が遅い状態となる。このような場合、文字入力制御部４２１に供給する電圧を上昇させて動作クロックを速くすることで、利用者のキー操作速度に準じたキー操作検出速度が得られるようになり、より迅速な文字入力速度が得られるようになる。この結果、より速くメール作成動作（文字入力状態）を終了させることができるようになり、文字入力制御部４２１の動作時間を短縮させることが可能となり、この結果、文字入力状態における消費電力の低減を図ることができるようになる。
【００３９】
［実施の形態４］
次に、本発明の実施の形態４について、図６、図７を用いて説明する。図６は、本発明の実施の形態４における携帯端末装置の一部構成例を示す構成図である。本実施の形態では、携帯端末装置として携帯電話を例に説明する。また、図７は、本実施の形態４における携帯端末装置（携帯電話）の動作例を示すフローチャートである。なお、図６では、本実施の形態を説明するために必要な部分を示し、携帯電話を構成するよく知られた一般的な部分は省略している。
【００４０】
本実施の形態に係る携帯電話は、各部分の制御を行い、図示しない無線通信部から信号で音声通話やデータ通信を実現する制御部６０４、制御部６０４の動作プログラム，作成されたメールデータ，受信データや、アドレスデータなどが記憶されているメモリ６０１、電話をかける際の電話番号が入力，アドレス帳登録など文字入力，および各種機能の設定入力を行うためのキー入力部（ＫＥＹ）６０２、発着信時の電話番号の表示，キー入力部６０２と連動した各種入力内容の表示，および電子メール送受信機能で作成・受信したメール内容の表示などが行われる表示部６０３を備える。
【００４１】
また、バッテリ（電池）６０６の電圧レベルを監視して、設定されている閾値を下回った場合に制御部６０４へ通知する電圧検出部６０５を備える。また、FeliCa機能部６０７，ＧＰＳ機能部６０８，短距離無線通信機能部（Bluetooth）６０９，デジタルテレビ方法受信機能部（ＧＴＶ）６１０などのペリフェラル（補助機能部）を備える。なお、FeliCa機能部６０７，ＧＰＳ機能部６０８，短距離無線通信機能部（Bluetooth）６０９，デジタルテレビ方法受信機能部（ＧＴＶ）６１０などのペリフェラルは、制御部６０４からのへコマンド（命令）により起動させることができる。また、図中の矢印は電源の供給ラインを表している。
【００４２】
上述した構成において、本実施の形態４に係る携帯電話は、各ペリフェラルに対する電源供給ラインに、ペリフェラルの各々に給電される電源のオンオフを行うスイッチ６２１，６２２，６２３，６２４を備え、また、制御部６０４に、ペリフェラルの動作頻度を計測する補助機能部動作監視部６４１と、この補助機能部動作監視部６４１が計測した動作頻度が予め設定されている値より小さい補助機能部のスイッチ６２１，６２２，６２３，６２４をオフにする電源制御部６４２とを備えるようにした。
【００４３】
次に、本実施の形態に係る携帯電話（制御部６０４）の動作例について、図７のフローチャートを用いて説明する。まず、利用者の操作により節電設定がなされると（ステップＳ７０１）、補助機能部動作監視部６４１が、FeliCa機能部６０７，ＧＰＳ機能部６０８，短距離無線通信機能部（Bluetooth）６０９，デジタルテレビ方法受信機能部（ＧＴＶ）６１０などのペリフェラルが使用されているかどうかを判断する（ステップＳ７０２）。
【００４４】
補助機能部動作監視部６４１の判断により、使用されているとされたペリフェラルについては、ステップＳ７０３で未使用日数に０が設定される。
【００４５】
一方、補助機能部動作監視部６４１の判断により、使用されていないとされたペリフェラルについては、ステップＳ７０４で補助機能部動作監視部６４１が未使用日数を計数する。この計数で、未使用日数が予め設定されている日数（例えば１０日）以上となると（ステップＳ７０５）、電源制御部６４２が、スイッチ６２１，６２２，６２３，６２４の中の対象となるペリフェラルに対応するものをオフ状態にする（ステップＳ７０６）。
【００４６】
この後、電源供給が停止されているペリフェラルに対する使用開始の指示が補助機能部動作監視部６４１に検出されると（ステップＳ７０７）、電源制御部６４２が、スイッチ６２１，６２２，６２３，６２４の中の対象となるペリフェラルに対応するものをオン状態にする（ステップＳ７０８）。
【００４７】
以上に示したように、本実施の形態における携帯端末装置（携帯電話）によれば、設定されている日数以上に使用されていないペリフェラルに対する電源の供給が停止されるので、消費電力を低減させることが可能となる。例えば、近年の携帯端末装置においては、高機能化・多機能化が進んでいるが、全ての機能が常時使用されていることはまれである。また、各補助機能を頻繁に使用する利用者もいれば、補助機能を保どんと使用しない利用者も存在する。このような場合であっても、利用者の使用形態に適用させて、使用されていない補助機能に対する電源の供給が停止できるので、利用者の利用形態に応じた省電力が可能となる。
【図面の簡単な説明】
【００４８】
【図１】本発明の実施の形態１における携帯端末装置１０１の一部構成例を示す構成図である。
【図２】本発明の実施の形態２における携帯端末装置の一部構成例を示す構成図である。
【図３】本発明の実施の形態２における携帯端末装置（携帯電話）の動作例を示すフローチャートである。
【図４】本発明の実施の形態３における携帯端末装置の一部構成例を示す構成図である。
【図５】本発明の実施の形態３における携帯端末装置（携帯電話）の動作例を示すフローチャートである。
【図６】本発明の実施の形態４における携帯端末装置の一部構成例を示す構成図である。
【図７】本発明の実施の形態４における携帯端末装置（携帯電話）の動作例を示すフローチャートである。
【符号の説明】
【００４９】
１０１…携帯端末装置、１０２…文字入力機能部、１０３…キー入力部、１０４…電源制御部、１２１…文字入力制御部、１２２…文字入力状態検出部、１２３…操作状態計測部。
【図１】
2010034741.tif 000003
【図２】
2010034741.tif 000004
【図３】
2010034741.tif 000005
【図４】
2010034741.tif 000006
【図５】
2010034741.tif 000007
【図６】
2010034741.tif 000008
【図７】
2010034741.tif 000009